(57)【特許請求の範囲】
【請求項１】
台座（１０）と、当該台座上に配置され、シート基部（２２）と背もたれ（２４）と上記シート基部（２２）の側面に上記シート基部（２２）の前方に指向させて配置されたフットサポート（２８）とを有するシートパート（１６）とを備えた分娩用椅子であって、
上記シート基部（２２）真下に位置する第一位置と、上方からみたときに上記シート基部（２２）前方にて上記フットサポート（２８）の間に位置する第二位置との間を調節可能に配置されたデリバリープラットフォーム（３２）を備えた分娩用椅子において、
上記デリバリープラットフォーム（３２）が、上記シート基部（２２）の前縁部にほぼ平行な分割線に沿って、少なくとも２つのプラットフォーム部（３４、３６）に分けられ、
一方のプラットフォーム部（３４）は、上記シート基部（２２）下側に下方に位置して設けられたキャリアアレンジメント（４２）によって、押し込み位置と引き出し位置との間をスライドするように支持されたスライド（４０）に固定され、
他方のプラットフォーム部（３６）は、上記分割線に沿って上記プラットフォーム部（３４）に設けられた旋回軸（３８）回りに移動するように、上記プラットフォーム部（３４）に旋回可能に連結され、水平位置と垂直位置との間を旋回可能であることを特徴とする分娩用椅子。
【請求項２】
上記スライド（４０）が、少なくともその引き出し位置において、スライド（４０）に移動可能に支持され、かつ上記スライド（４０）が引き出し位置にあるときに、上記キャリアアレンジメント（４２）に係合する固定位置へ自動的に落下するように付勢されたロック部材（６８）によって制止可能であることをさらに特徴とする請求項１記載の分娩用椅子。
【請求項３】
上記ロック部材（６８）が、変位構造（７４）により上記スライド（４０）の固定位置から上記スライド（４０）の解除位置に移動可能であり、当該変位構造（７４）は、作動端（８０）が上記移動可能プラットフォーム（３６）の旋回運動の経路内に延出するように、スライド（４０）に移動可能に支持されたことをさらに特徴とする請求項１又は２記載の分娩用椅子。
【請求項４】
上記移動可能プラットフォーム部（３６）は、支持棒（８２）によって水平位置で保持されることが可能であり、上記支持棒（８２）の前端部が、上記移動可能プラットフォーム（３６）の下側に設けられた上記分割線と平行な旋回軸（８６）に旋回可能に連結され、上記支持棒（８２）の後端部（９０）が上記スライド（４０）の支持棒ガイド（４８）内で案内されることをさらに特徴とする請求項１から３のいずれか一つに記載の分娩用椅子。
【請求項５】
上記移動可能プラットフォーム部（３６）が水平位置にあるときに、上記支持棒（８２）の後端部に設けられたガイドロール（９０）が、上記支持棒ガイド（４８）の底面内側に設けられた凹部（９６）により上記支持棒ガイド（４８）に係合可能であることをさらに特徴とする請求項４記載の分娩用椅子。
【請求項６】
上記支持棒ガイドが、上記ガイドロール（９０）を収容する中空部材（４８）で構成され、当該中空部材（４８）の後端部に上記ロック部材（６８）が配置され、上記中空部材内に上記変位構造（７４）を構成するレールが支持され、当該レールの後端部が上記ロック部材（６８）を制御し、かつ上記レールの前端部が上記移動可能プラットフォーム部（３６）と係合可能であることをさらに特徴とする請求項５記載の分娩用椅子。
【請求項７】
上記レールは、上記移動可能プラットフォーム部（３６）が旋回したときに上記支持棒（８２）が上記変位構造（７４）を解除位置に動かすように、上記中空部材（４８）に係合する上記支持棒（８２）の端部に連結可能であり、上記変位構造（７４）が上記解除位置にあるときに上記ロック部材（６８）が固定位置に移動可能なことをさらに特徴とする請求項６記載の分娩用椅子。
【請求項８】
支持支柱（１０）はドライブモーターによって高さが調節可能であることをさらに特徴とする請求項１から７のいずれか一つに記載の分娩用椅子。
【請求項９】
上記台座（１０）の上記シートパート（１６）が、上記台座（１０）の上部に設けられ、上記シート基部（２２）の前縁部と平行な横軸（１８）回りに、傾動可能であることをさらに特徴とする請求項１から７のいずれか一つに記載の分娩用椅子。
【発明の詳細な説明】
【０００１】
【発明の属する技術分野】
本発明は、台座と、その台座に配置され、シート基部と背もたれとシート基部前方部側面に配置されたフットパートとを有するシートパートとを備えた分娩用椅子に関わる。
【０００２】
【従来の技術及び発明が解決しようとする課題】
分娩用椅子が市場において知られており、例えば、いわゆるマヤホッカ（Mayahocker）若しくは、バイタラックス（Vitalux）などが例に挙げられる。これらの発明において、妊婦は、布張りのシートの縁に腰掛け、新生児は下方、床方向に分娩されるが、新生児が４５センチメートルの高さから床に落ちないという保証はないので、分娩用椅子の下にはマットが広げられる。
【０００３】
さらに、シート基部に支持されるフットパートを備えた分娩用ベットも知られている。フットパートの上に新生児が分娩され、所定位置にスライド可能、又は旋回可能である。このため、新生児が、落ちる危険は免れる。しかしながら、助産婦若しくは医師の接近が、大きなフットパートのために制限される。フットパートに座る助産婦のひねったような姿勢は、しばしば腰痛や急速な疲労の原因となる。
【０００４】
本発明は、課題として、上記の欠点をなくし、冒頭に述べられたような分娩用椅子における新生児落下の危険性を解消または減少させること、また一方では、人間工学的に有利な条件を助産婦及び医師のために提供することとを挙げる。
【０００５】
【発明の概要】
上記課題は、本発明に従い、シート基部の下側にほぼ完全に位置する第一位置と、側面からみると、シート基部前方に位置する二つのフットパート間に位置する第二使用位置との間を移動する基本的に水平なデリバリープラットフォーム（移動台；delivery platform）によって、達成される。
【０００６】
第二、又は使用位置において、デリバリープラットフォームは、出産を補助する際、及び娩出後新生児を支える際に助産婦の腕を支持するための役目を果たす。さらに、このデリバリープラットフォームは、分泌物ボール若しくは、廃棄物ボールのためのサポート面にも利用できる。デリバリープラットフォームは、使用されないときは、空間を確保できるようシート基部の下に配置されることができる。よって、助産婦及び医師が近接する空間が、デリバリープラットフォームによって制限されず、助産婦及び医師は、座りながら正面を向いて快適に作業することができる。
【０００７】
好ましくは、デリバリープラットフォームは、シート基部前方縁とほぼ平行に延びる分岐線に沿って二つのプラットフォーム部に分けられ、一方のプラットフォーム部は分娩用椅子に連結され、他方は、分娩用椅子に連結されたプラットフォーム部に移動可能に支持されることで、分娩用椅子に連結されたプラットフォーム部の表面に対して垂直あるいは、下がった位置に調節可能になる。これにより、デリバリープラットフォームは、必要とされないときは、シート基部の下に収納用の空間をわずかしか必要としない。これは、シート基部が台座及びシートパートに取り付けられ、場合によっては、シート基部が台座に旋回可能、又は調節可能に支持される、冒頭で述べられたような分娩用椅子の場合には、特に有効である。この場合、使用目的のために、シート基部の下にデリバリープラットフォームを収納するための空間がほとんど存在しないからである。
【０００８】
好適実施形態においては、デリバリープラットフォームの可動部は、分岐線に沿ったヒンジ軸回りに移動するために、椅子に連結されたプラットフォーム部に旋回可能に支持されるとともに、ほぼ水平位置とほぼ垂直位置との間を移動可能である。移動可能プラットフォームが必要ないときは、シート基部下にデリバリープラットフォームを収納するために簡単に下ろされる。また、収納に際しては、椅子に連結されたプラットフォーム部に相当するわずかな空間のみを必要とする。他方で、下ろされたプラットフォーム部は比較的高さが低いので、シート基部が利用されるときは、かなり下方に調節されることができる。
【０００９】
二つの位置間におけるデリバリープラットフォームの容易な移動を実現するために、デリバリープラットフォームは、シートパートに固定されたキャリアアレンジメント上に、押し込み位置と引き出し位置との間でスライドできるように支持されたスライドに固定されることが好ましい。それ故、デリバリープラットフォームはプラットフォームの使用位置、及びシート本体からスライドすることなく、スライドは、少なくともその引き出し位置で制止構造によって保持されることが有効である。この制止構造は、スライド上に移動可能に支持されるロック部材を有しており、このロック部材が付勢されているので、スライドの引き出し位置において、自動的に固定位置に動き、固定位置で、キャリアアレンジメントと係合するように動く。付勢力は、スプリング若しくは重力により備えられることができる。
【００１０】
デリバリープラットフォームの調節操作を単純化するため、ロック部材を解放できる変位構造が有効に備えられている。変位構造は、スライド上に移動可能に支持され、その作動端部は移動可能プラットフォーム部の旋回経路内に延出する。移動可能プラットフォーム部が水平位置から垂直位置に旋回されると、自動的に変位構造がロック部材を解放するように作動するため、さらなる操作を行わなくともシート基部下方に向かって内側にデリバリープラットフォームを押すことが可能となる。
【００１１】
移動可能プラットフォーム部をその水平位置に保持するように、支持棒が備えられている。支持棒の前端部が、分岐線と平行な旋回軸回りに移動する移動可能プラットフォーム部の下側に旋回可能に連結され、支持棒の後端部が、スライド上の支持棒ガイドに支持される。移動可能プラットフォーム部が水平位置に位置したときに、支持棒が、支持棒ガイドに対してラッチ可能であり、これによりプラットフォーム部は上方に折られた後、水平位置にとどまることが好ましい。
【００１２】
好適実施形態において、支持棒ガイドは、スライドの移動方向と平行に延びる中空部材から構成される。中空部材は、支持棒の後端部を受ける一方で、その後端部にはロック部材が配置される。中空部材内にレールが支持されており、そのレールが変位構造を構成する。レールの後端部はロック部材を制御し、前端部は移動可能プラットフォーム部と係合可能である。これにより、中空部材に収容された支持棒の端部とレールが連結でき、移動可能プラットフォーム部が旋回するとすぐに、支持棒はロック部材が固定位置に動くことができる自由位置に変位構造を動かすことができる。これによって、移動可能プラットフォーム部がその水平位置に持ち上がる間に、支持棒を固定するだけでなく、スライドが内側に向かって押されるようにロックされる。
【００１３】
本発明のさらなる特徴と利点は、添付される請求項、及び以下の詳細な説明を本発明の実施例の説明をなす添付される図面とともに参照することで、明らかにされるであろう。
【００１４】
【発明の実施の形態】
図１で、概略が示される分娩用椅子は、台座（支持支柱）１０と、台座をサポートする支持部１２と、支柱ヘッド１４に支持される横軸１８回りに可動であるシートパート１６とを備える。シートパート１６は、横軸１８上に、概略でのみ示されるポジションドライブ２０（例えば、駆動モーター）の助力により調節可能である。台座１０は、図示されていないリフト機構を備え、シートパート１６の高さを調節できるようになっている。シートパート１６は、背もたれ２４に連結されたシート基部２２を備えており、シート基部２２は、前方に延出するフットサポート２８を移動させる側面キャリア２６を備え、フットサポートとシート基部には、グリップフレーム３０が連結されている。グリップフレーム３０とキャリア２６とフットサポート２８とを構成するユニットは、シート基部２２に対して、垂直軸回りに旋回可能としてもよい。これによって、側面に向かって横向きに旋回されることができる。
【００１５】
シート基部２２下には、デリバリープラットフォーム３２が設けられる。デリバリープラットフォーム３２は、例えば、円形でもよく、シート基部２２の前方縁と平行に延びる分岐線に沿って互いに連結された二つの部材３４、３６を構成する。連結部は、剛体ヒンジ部材、あるいはホイルヒンジで構成されることができ、これによりプラットフォーム部３６はプラットフォーム部３４に対して、連結軸３８回りに旋回可能になる。プラットフォーム部３６は、図１に実線で示される水平位置と図１に破線で示される垂直位置との間で、旋回可能である。
【００１６】
プラットフォーム部３４は、キャリアアレンジメント４２上に２つの矢印Aの方向に移動するようにスライド可能に支持されたスライド４０に固定され、これによりデリバリープラットフォーム３２は、図１に実線で示される位置と、図１に破線で示されるプラットフォーム部３４がシート基部２２下に完全に入るよう内側に押された位置との間を移動可能になる。この内側に押された位置で、移動可能プラットフォーム部３６が垂直下側に下げられたならば、デリバリープラットフォーム３２は、側面からみるとシート基部２２の下に完全に姿を消す。
【００１７】
キャリアアレンジメント４２は、保持フレーム４４とフランジ４６とを介してシート基部２２の下側に固定される。
【００１８】
上述のデリバリープラットフォームの配置についての詳細は、図２から図５に基づきさらに詳しく述べられるだろう。スライド４０はほぼ四角形状４８の断面を有する。その上部に、デリバリープラットフォーム３２の平面部（プラットフォーム部）３４をサポート及び保持するキャリアプレート５０が固定されている。プラットフォーム部３４の固定は、２つのネジ５２（図２）の助力よって達成される。それらネジ５２は、ハンドグリップ５４を備えており、これによって手動操作を容易にできる。
【００１９】
スライド４０の中空部材４８は、ボールレール５６によって、キャリアアレンジメント４２の２つの箱型ビーム５８の間をスライド可能にガイドされる。キャリアプレート５０の側面壁６０は箱型ビーム５８を覆うように延出し、これにより箱型ビーム５８とボールレール５６とから成るスライドガイドは、完全に覆われる。スライド４０の前端部は、前壁６２によって閉じられ、前壁６２は、キャリアプレート５０の湾曲部分によって構成される。
【００２０】
中空部材４８の後方部分において、その部材下に横たわるのは、平棒６６である。平棒６６は、その後端部がロックボルト６８を支持し、前端部は、中空部材の底部にネジ７０によって固定される。これにより、平棒６６は、中空部材４８の長手方向に移動されなくなるが、中空部材の底部から持ち上げられることはできるようになる。ロックボルト６８は、図２と図４とに示される固定位置と図５に示される自由位置との間を移動可能である。固定位置とは、スライド４０が引き出されて、ボルト６８が箱型ビーム５８に連結された交差プレート(cross plate)７２の前方に落ちた状態である。自由位置とは、図５に示すように、ロックボルト６８が、矢印Bの方向に持ち上げられた状態であり、スライド４０が押されたならばロックボルト６８が、交差プレート７２の上を内側にスライドする。
【００２１】
レール７４が、図２と図４との固定位置から図５に示される自由位置に、ロックボルト６８を持ち上げるために作用する。レールは、図２から図５に示されるように、U字状を反転させた形状の部材で構成され、中空部材４８のほぼ全長にわたって延出する。U字状レール７４は、中空部材４８内をスライドの移動方向と平行に、制限された範囲内で往復移動することが可能である。ロックボルト６８に面するU字状レール７４の後端部において、U字状レール７４の側脚７６にそれぞれ傾斜部７８が備えられているので、U字状レール７４は、固定ボルト６８の下側にスライド可能であり、図５に破線で示すように、楔効果によって、ロックボルト６８を持ち上げることができる。
【００２２】
U字状レール７４の移動を達成するために、U字状レール７４は、固定ボルト６８から隔たった前端部に、２つのボルト８０（図２、図３）を備える。この２つのボルト８０は、U字状レール脚（側脚）７６の外側側面に溶接接合され、中空部材４８の長手方向と平行なキャリアプレート５０の前壁６２に形成された穴を通って、中空部材４８の長手方向と平行に外側に延びる。プラットフォーム部３６が水平位置から垂直位置に下ろされると、ボルトが内側に押されるようにボルト８０の長さが選択される。これによりU字状レール７４は図２に示される位置から図５に示される位置へと右方向に動かされ、ロックボルト６８が持ち上げられる。よって、移動可能プラットフォーム部３６が下ろされると、固定ボルト６８は自動的に持ち上げられ、次の動作では、さらなる操作を必要とせず、スライド４０が即座にシート基部２２の下に向かって、内側に動かされる。
【００２３】
移動可能プラットフォーム部３６をその水平位置に保持するため、８２で示される支持棒が備えられる。支持棒は、その前端部が、作動プレート８４につながり、作動プレート８４は、移動可能プラットフォーム部３６の下側で、軸８６回りに回転可能である。支持棒８２の後端部は、縦スロットを通って延出し、側面に突出したガイドロール９０によってスライド可能に支持される。このガイドロールは、両側のスロット８８上の下内側で係合する。さらに、ハンドグリップ９２が、支持棒８２の作動プレート８４上に設けられる。
【００２４】
中空部材の前端部近傍で、中空部材底面内側のスロット８８の両側は、２つの傾斜路９４を構成する。傾斜路は、前端部に向かうにつれて高くなり、支持棒８２のガイドロール９０がその傾斜路９４上を走ることができる。各々の傾斜路９４と前壁６２の間には、一つのガイドロール９０を収納するのに十分な大きさの凹部９６が設けられる。
【００２５】
プラットフォーム部３６を垂直位置から水平位置に移動するため、及びプラットフォーム部材をシート基部２２下側からその使用位置に完全に移動するために、作業者は、ハンドグリップ９２を握り、図１に示すよう上方向時計回りにプラットフォーム部３６を旋回させる。これにより、支持棒８２の後端部は、ローラ９０とともに前方に引かれる。ローラ９０は、傾斜路９４を駆け上り、前壁６２と傾斜路９４との間の凹部９６内に落ちる。この位置で、支持棒８２がラッチされ、移動可能プラットフォーム部３６は、もはや水平位置から垂直位置に落下することはできなくなる。同時にこの操作によって、ローラ９０が、U字状レール７４の側脚７６に形成された押さえ（followers）９８を介して、U字状レール７４を、図２に示すように、ロックバー６８の係合が解除される位置まで移動させる。スライド４０と共にデリバリープラットフォーム３２が外側に引かれる場合、ロックバー６８は、下方向に落下可能になり、これにより箱型ビーム５８の交差プレート７２と整列する。これによって、意図せずに内側方向への力がかかっても、スライド４０は、固定される。
【００２６】
移動可能プラットフォーム部３６を水平に保持された位置から、垂直位置へと落下させるため、及びスライド４０をシート基部２２の下側に押すために、作業者は、支持棒８２を作動プレート８４の位置で上方向に押す。その結果、支持棒８２の後端部のガイドローラー９０が、凹部９６から図２に点線で示す位置へと持ち上げられる。これによって、固定されていた状態が解除され、プラットフォーム部３６は、垂直位置に振り下ろされることができる。プラットフォーム部３６が垂直位置に届くとすぐに、既に上述されたように、ボルト８０とU字状レールを右側に押し、図５に示すように、ロックバー６８を持ち上げて、ラッチ位置からはずす。このとき、スライド４０は、シート基部２２の下に向かって内側に押されることが可能になる。
【図面の簡単な説明】
【図１】  図１は、異なった位置に配置されるプラットフォーム部を備えた本発明の分娩用椅子の部分的な概略を示す側面図である。
【図２】  図２は、デリバリープラットフォームとそのスライドガイドの部分切断拡大側面図である。
【図３】  図３は、図２のIII−III線に沿った断面図である。
【図４】  図４は、図２のIV−IV線に沿った断面図である。
【図５】  図５は、図２にVで示される部分の変位位置におけるロックボルトの拡大図である。
【符号の説明】
１０  台座
１６  シートパート
２２  シート基部
２４  背もたれ
２８  フットパート
３２  デリバリープラットフォーム
３４  プラットフォーム部
３６  プラットフォーム部
３８  旋回軸
４０  スライド
４２  キャリアアレンジメント
４８  中空部材
６８  ロック部材
７４  変位構造
８０  作動端
８２  支持棒
【図１】
0004546693.tif 000002
【図２】
0004546693.tif 000003
【図３】
0004546693.tif 000004
【図４】
0004546693.tif 000005
【図５】
0004546693.tif 000006